【手続補正書】
【提出日】平成20年12月8日(2008.12.8)
【手続補正１】
【補正対象書類名】明細書
【補正対象項目名】００１４
【補正方法】変更
【補正の内容】
【００１４】
２０３は外部より操作可能な電源スイッチであり、カメラＣＰＵ２０１を立ち上げて、カメラ２００内の各回路、アクチュエータおよびセンサ等への電源供給を行わせるためのスイッチである。２０４は外部より操作可能な２段ストローク式のレリーズスイッチであり、その半押し操作によりオンする第１ストロークスイッチ（ＳＷ１）と、全押し操作によりオンする第２ストロークスイッチ（ＳＷ２）とにより構成されている。
【手続補正２】
【補正対象書類名】明細書
【補正対象項目名】００１６
【補正方法】変更
【補正の内容】
【００１６】
さらに、カメラＣＰＵ２０１は、第２ストロークスイッチがオン（ＳＷ２ ＯＮ）されると、撮影状態になり、レンズＣＰＵ３０１に対して、交換レンズ３００内に設けられた絞り３０７の駆動命令を送信する。また、カメラＣＰＵ２０１は、シャッタ回路２０６に駆動命令を出力して不図示のシャッタを駆動させるとともに、撮像素子２０７および画像処理回路に記録用画像の取得動作を行わせる。記録用画像は、不図示の記録媒体（半導体メモリ、光ディスク等）に記録される。
【手続補正３】
【補正対象書類名】明細書
【補正対象項目名】００１９
【補正方法】変更
【補正の内容】
【００１９】
３０５は防振ユニットである。防振ユニット３０５は、以下の５つの要素によって構成される。第１に、防振光学素子としての補正レンズＬ１とこれを保持する補正レンズ枠を有し、防振のために移動可能な可動ユニットである。補正レンズＬ１は、レンズユニット３０９とともに撮影光学系を構成する。第２に、可動ユニットを光軸に直交する方向に駆動する防振アクチュエータである。ここにいう光軸に直交する方向は、完全に直交する方向だけでなく、実質的に直交するとみなせる方向も含む。第３に、可動ユニットの位置を検出するための位置センサである。第４に、可動ユニットを所定位置（光軸中心位置）にロックしたり該ロックを解除（アンロック）したりすることができるロック機構である。第５に、ロック機構を駆動するためのロックアクチュエータである。
【手続補正４】
【補正対象書類名】明細書
【補正対象項目名】００２５
【補正方法】変更
【補正の内容】
【００２５】
３１０はモード切換スイッチである。撮影者がこのモード切換スイッチ２１０を操作することにより、省電力モード（省電力を目的とする第１のモード）と通常電力モード（第２のモード）とを選択することができる。
【手続補正５】
【補正対象書類名】明細書
【補正対象項目名】００２６
【補正方法】変更
【補正の内容】
【００２６】
図３には、本実施例の防振ユニットを分解して示している。また、図４には、該防振ユニットに用いられる粘弾性部材（弾性部材）を示している。さらに、図５Ａ，５Ｂには、該防振ユニットを光軸方向から見た図を示している。また、図6には、該防振ユニットの断面と駆動制御系とを示している。
【手続補正６】
【補正対象書類名】明細書
【補正対象項目名】００２９
【補正方法】変更
【補正の内容】
【００２９】
また、ベース部材２の外周における周方向３箇所には、該ベース部材２をレンズ３００内で固定するための穴２ｃが形成されている。図６に示すように、この穴２ｃにコロ１０を挿入し、ビス１１で締め付け、コロ１０をレンズ３００の不図示の固定部材に係合させることにより、ベース部材２をレンズ３００内に固定することができる。また、３つのコロ１０のうち１つ又は２つを偏心コロとし、該偏心コロを回転させることで、ベース部材２のレンズ３００内での倒れ調整を行うことができる。
【手続補正７】
【補正対象書類名】明細書
【補正対象項目名】００３１
【補正方法】変更
【補正の内容】
【００３１】
また、これらマグネット４ｐ，４ｙ，７ｐ，７ｙはそれぞれ、図６に示すように（但し図６にはマグネット４ｐ，７ｐのみを示す）、防振ユニットの中心に近い側と遠い側とで着磁方向が異なっており、更に各マグネットの中心付近は着磁されていない不感帯領域になっている。これは、各マグネットに対して光軸方向にて対向配置されるコイルの巻線位置と各マグネットの着磁領域とを合わせて駆動力を効率良く発生させるためである。
【手続補正８】
【補正対象書類名】明細書
【補正対象項目名】００３２
【補正方法】変更
【補正の内容】
【００３２】
第１ヨーク３は、該第１ヨーク３の２箇所に形成された穴３ｂにベース部材２に設けられた２箇所の突起２ｄが挿入されることによって、第１マグネット４ｐ，４ｙとともにベース部材２に対して位置決めされる。そして、第１ヨーク３は、その３箇所に形成された穴３ｃとベース部材２の３箇所に形成された穴２ｅ（但し、図１には１箇所のみ示す）に通したビスを締め付けることで、ベース部材２に固定される。なお、第１ヨーク３の固定は、補正レンズ枠１にピン５を圧入する前に行う。
【手続補正９】
【補正対象書類名】明細書
【補正対象項目名】００４９
【補正方法】変更
【補正の内容】
【００４９】
さらに、取付け部３０ａの中央には、圧縮コイルバネ９ｐａ，９ｐｂ，９ｙａ，９ｙｂの外径よりも大きな内径を有する穴３０ｄが形成されている。これにより、粘弾性部材３０と穴３０ｄ内に挿入された圧縮コイルバネ９ｐａ，９ｐｂ，９ｙａ，９ｙｂとの干渉を防止することができる。
【手続補正１０】
【補正対象書類名】明細書
【補正対象項目名】００５４
【補正方法】変更
【補正の内容】
【００５４】
なお、本実施例において、コイル６ｐ，６ｙに入力される電圧（電力）は、防振のための目標位置に対応し、該コイル６ｐ，６ｙの駆動目標値は振動センサ３０８からの検出出力と上記位置検出器からの検出出力とに基づいて設定される。
【手続補正１１】
【補正対象書類名】明細書
【補正対象項目名】００５６
【補正方法】変更
【補正の内容】
【００５６】
また、本実施例の防振ユニット３０５では、防振機能を使用しない場合（ＩＳスイッチ３０３がオフの場合）には、補正レンズＬ１を後述する第２の位置にロック保持するためのロック機構が不要である。また、補正レンズＬ１の光軸に対する傾きを防止するためのローリング対策機構も不要となる。したがって、きわめてシンプルな構成の防振ユニットを実現することができる。
【手続補正１２】
【補正対象書類名】明細書
【補正対象項目名】００８６
【補正方法】変更
【補正の内容】
【００８６】
また、交換レンズ３００において、レンズＣＰＵ３０１は、第１の防振制御動作（第１の制御動作）を開始する（Ｓ１０７）。第１の防振制御動作とは、圧縮コイルバネ９ｐａ，９ｐｂ，９ｙａ，９ｙｂによって浮遊支持された可動ユニット（本実施例では補正レンズＬ１、補正レンズ枠１、コイル６ｐ，６ｙおよびピン５）の防振駆動を前述した第１の位置を中心として制御する動作である。
【手続補正１３】
【補正対象書類名】明細書
【補正対象項目名】００８８
【補正方法】変更
【補正の内容】
【００８８】
次に、レンズＣＰＵ３０１は、カメラＣＰＵ２０１からレリーズスイッチ２０４におけるＳＷ２がＯＮになったことを示す信号が入力されたか否か（ＳＷ２がＯＮか否か）を判別する（Ｓ１０８）。ＳＷ２がＯＮである場合、レンズＣＰＵ３０１は、不図示の位置検出器により可動ユニットの位置検出を開始した後（Ｓ１０９）、第２の防振制御動作（第２の制御動作）を開始する（Ｓ１１０）。ＳＷ２がＯＦＦの場合はＳ１０３に戻る。
【手続補正１４】
【補正対象書類名】明細書
【補正対象項目名】００９８
【補正方法】変更
【補正の内容】
【００９８】
本実施例の撮影動作を、図９のフローチャートを用いて説明する。なお、本実施例のカメラシステムの構成は基本的に実施例１と同じであり、共通する構成要素には実施例１と同じ符号を付す。但し、本実施例では、モード切換スイッチ３１０の操作によって、低画質撮像モード（第１の画質の撮影画像を得るモード）と該低画質撮像モードよりも画質の高い画像を撮像できる高画質（通常）撮像モード（第２の画質の撮影画像を得るモード）とを選択することができる。
【手続補正１５】
【補正対象書類名】図面
【補正対象項目名】図３
【補正方法】変更
【補正の内容】
【図３】
2007163595.tif 000001
【手続補正１６】
【補正対象書類名】図面
【補正対象項目名】図６
【補正方法】変更
【補正の内容】
【図６】
2007163595.tif 000002